(57)【要約】【課題】容器を開栓するために熱収縮性膜を破って取り除く際、容器のキャップから脱落するのを防止できる開栓蓋を提供する。【解決手段】口部２にキャップ３が備えられた容器１の密閉用栓４を押し下げて開放する開栓蓋１０であって、キャップ３に取付可能な筒状の蓋本体１１と、蓋本体１１内に設けられて密閉用栓４を押し下げる押下用部材１２と、蓋本体１１の外面を覆う熱収縮性膜３０とを有し、押下用部材１２は保持手段２２を介して蓋本体１１内に保持され、蓋本体１１は下部にスカート部１５を有し、スカート部１５は上方からキャップ３に外嵌可能であり、スカート部１５に、上下方向においてキャップ３に係合可能な係合部２８が設けられている。【選択図】図１
2019001501.tif 000002
【特許請求の範囲】
【請求項１】
口部にキャップが備えられた容器の密閉用栓を押し下げて開放する開栓蓋であって、
キャップに取付可能な筒状の蓋本体と、
蓋本体内に設けられて密閉用栓を押し下げる押下用部材と、
蓋本体の外面を覆う熱収縮性膜とを有し、
押下用部材は保持手段を介して蓋本体内に保持され、
蓋本体は下部にスカート部を有し、
スカート部は上方からキャップに外嵌可能であり、
スカート部に、上下方向においてキャップに係合可能な係合部が設けられていることを特徴とする開栓蓋。
【請求項２】
保持手段は破断可能な弱化部であり、
蓋本体と押下用部材とは弱化部を介して繋がっていることを特徴とする請求項１記載の開栓蓋。
【請求項３】
係合部と弱化部とはそれぞれ周方向において複数設けられ、
これら係合部と弱化部とが周方向において同じ位置にあることを特徴とする請求項２記載の開栓蓋。
【請求項４】
保持手段は上下方向に変形可能な支持部であり、
押下用部材は支持部を介して蓋本体に支持されていることを特徴とする請求項１記載の開栓蓋。
【請求項５】
押下用部材に、蓋本体の内側と外側とに連通する連通部が形成されていることを特徴とする請求項１から請求項４のいずれか１項に記載の開栓蓋。
【請求項６】
蓋本体は上部に筒部を有し、
スカート部は、上端部に、筒部の下端部から径方向外側へ張り出した肩部を有し、
係合部は下方からキャップの下端に係合可能であり、
上下方向において、キャップが肩部と係合部との間に保持されることを特徴とする請求項１から請求項５のいずれか１項に記載の開栓蓋。
【請求項７】
上記請求項１から請求項６のいずれか１項に記載の開栓蓋を容器のキャップに装着する装着方法であって、
キャップを備えた容器を搬送しながら、キャップに上方から開栓蓋を落下させて、開栓蓋をキャップ上に載せる蓋供給工程と、
開栓蓋を上方から打ち下ろして、開栓蓋の蓋本体をキャップに取り付ける打栓工程と、
熱収縮性膜を開栓蓋に被せる被覆工程と、
熱収縮性膜を加熱して熱収縮させる加熱工程とを行うことを特徴とする開栓蓋の装着方法。
【発明の詳細な説明】
【技術分野】
【０００１】
本発明は、口部にキャップが備えられた容器の密閉用栓を押し下げて開放する開栓蓋および開栓蓋の装着方法に関する。
【背景技術】
【０００２】
従来、この種の開栓蓋としては、例えば、図１２に示すように、口部１０１にキャップ１０２が備えられたラムネ瓶１０３の密閉用栓１０４を押し下げて開放する開栓蓋１０５がある。
【０００３】
開栓蓋１０５は、キャップ１０２上に配置される円筒状の蓋本体１０７と、蓋本体１０７内に設けられて密閉用栓１０４を押し下げる押下用部材１０８と、蓋本体１０７の外周面を覆う熱収縮性フィルム１０９とを有している。
蓋本体１０７はキャップ１０２に載置され、熱収縮性フィルム１０９は蓋本体１０７の外周面からキャップ１０２の外周面にわたり設けられている。熱収縮性フィルム１０９を加熱して収縮させることにより、蓋本体１０７がキャップ１０２に取り付けられる。
【０００４】
ラムネ瓶１０３内の飲料水を飲む際、熱収縮性フィルム１０９を破って取り除き、指で押下用部材１０８を下方に押すことにより、密閉用栓１０４が下方に突き落とされて、ラムネ瓶１０３の口部１０１が開放される。
【０００５】
尚、上記のような開栓蓋は例えば下記特許文献１に記載されている。
【０００６】
また、下記特許文献２には、開栓蓋の装着方法が記載されている。この装着方法については、図１３（ａ）に示すように、一方向に搬送されるボトル１２１の搬送ライン上に、開栓蓋１２２を傾斜姿勢で保持し、ボトル１２１が開栓蓋１２２の下方を通過するとき、ボトル１２１のキャップ１２３が開栓蓋１２２のスカート部１２４の一部に係合することにより、開栓蓋１２２が保持位置から取り出され、図１３（ｂ）に示すように、自重により開栓蓋１２２のスカート部１２４がキャップ１２３に嵌合される。
【０００７】
その後、図１３（ｃ）に示すように、熱収縮性チューブ１２５を上方から開栓蓋１２２の外側に嵌合させ、図１３（ｄ）に示すように、加熱して熱収縮性チューブ１２５を収縮させる。これにより、熱収縮性チューブ１２５で覆われた開栓蓋１２２がボトル１２１のキャップ１２３に装着される。
【先行技術文献】
【特許文献】
【０００８】
【特許文献１】実公平７−３２４４４
【特許文献２】特許第３４６２４８２号
【発明の概要】
【発明が解決しようとする課題】
【０００９】
しかしながら上記図１２に示した従来の蓋本体１０７では、ラムネ瓶１０３を開栓してラムネ瓶１０３内の飲料水を飲むために、熱収縮性フィルム１０９を破って取り除く際、蓋本体１０７がキャップ１０２から脱落し易いといった問題がある。
【００１０】
また、上記従来の開栓蓋の装着方法では、図１３（ｂ）に示すように、開栓蓋１２２のスカート部１２４が自重により上方からキャップ１２３に嵌合しているが、実質的には、開栓蓋１２２がキャップ１２３上に載置されている状態であるため、ボトル１２１が搬送ラインに沿って搬送されている際、開栓蓋１２２がキャップ１２３から脱落する虞がある。
【００１１】
本発明は、容器を開栓するために熱収縮性膜を破って取り除く際、容器のキャップから脱落するのを防止できる開栓蓋を提供すること、および、開栓蓋を装着する際、搬送されている容器のキャップから開栓蓋が脱落するのを防止できる開栓蓋の装着方法を提供することを目的とする。
【課題を解決するための手段】
【００１２】
上記目的を達成するために、本第１発明は、口部にキャップが備えられた容器の密閉用栓を押し下げて開放する開栓蓋であって、
キャップに取付可能な筒状の蓋本体と、
蓋本体内に設けられて密閉用栓を押し下げる押下用部材と、
蓋本体の外面を覆う熱収縮性膜とを有し、
押下用部材は保持手段を介して蓋本体内に保持され、
蓋本体は下部にスカート部を有し、
スカート部は上方からキャップに外嵌可能であり、
スカート部に、上下方向においてキャップに係合可能な係合部が設けられているものである。
【００１３】
これによると、容器を開栓するために熱収縮性膜を破って取り除く際、スカート部の係合部がキャップに係合しているため、開栓蓋が容器のキャップから脱落するのを防止することができる。
【００１４】
本第２発明における開栓蓋は、保持手段は破断可能な弱化部であり、
蓋本体と押下用部材とは弱化部を介して繋がっているものである。
【００１５】
これによると、例えば押下用部材を指等で押すなどにより、弱化部が容易に破断し、押下用部材が蓋本体から分離して押し下げられる。これにより、密閉用栓が押下用部材によって下方に突き落とされ、容器の口部が開放される。
【００１６】
本第３発明における開栓蓋は、係合部と弱化部とはそれぞれ周方向において複数設けられ、これら係合部と弱化部とが周方向において同じ位置にあるものである。
【００１７】
本第４発明における開栓蓋は、保持手段は上下方向に変形可能な支持部であり、
押下用部材は支持部を介して蓋本体に支持されているものである。
【００１８】
これによると、例えば押下用部材を指等で押すなどにより、支持部が変形し、押下用部材が押し下げられる。これにより、密閉用栓が押下用部材によって下方に突き落とされ、容器の口部が開放される。
【００１９】
本第５発明における開栓蓋は、押下用部材に、蓋本体の内側と外側とに連通する連通部が形成されているものである。
【００２０】
これによると、万一、幼児等が蓋本体から分離された押下用部材を誤飲して、押下用部材が喉に詰まっても、空気は連通部を通って気道を流れることができるため、気道が閉塞されるのを防止することができ、窒息を防止することができる。
【００２１】
本第６発明における開栓蓋は、蓋本体は上部に筒部を有し、
スカート部は、上端部に、筒部の下端部から径方向外側へ張り出した肩部を有し、
係合部は下方からキャップの下端に係合可能であり、
上下方向において、キャップが肩部と係合部との間に保持されるものである。
【００２２】
本第７発明は、上記第１発明から第６発明のいずれか１項に記載の開栓蓋を容器のキャップに装着する装着方法であって、
キャップを備えた容器を搬送しながら、キャップに上方から開栓蓋を落下させて、開栓蓋をキャップ上に載せる蓋供給工程と、
開栓蓋を上方から打ち下ろして、開栓蓋の蓋本体をキャップに取り付ける打栓工程と、
熱収縮性膜を開栓蓋に被せる被覆工程と、
熱収縮性膜を加熱して熱収縮させる加熱工程とを行うものである。
【００２３】
これによると、打栓工程において、開栓蓋を上方から打ち下ろして、開栓蓋の蓋本体をキャップに取り付けるため、蓋本体のスカート部が上方からキャップに外嵌されて、スカート部の係合部がキャップに係合する。
【００２４】
これにより、上記打栓工程後において、搬送されている容器のキャップから開栓蓋が脱落するのを防止することができる。
【発明の効果】
【００２５】
以上のように本発明によると、容器を開栓するために熱収縮性膜を破って取り除く際、スカート部の係合部がキャップに係合しているため、開栓蓋が容器のキャップから脱落するのを防止することができる。
【００２６】
また、打栓工程により、蓋本体のスカート部が上方からキャップに外嵌され、スカート部の係合部がキャップに係合するため、打栓工程後において、搬送されている容器のキャップから開栓蓋が脱落するのを防止することができる。
【図面の簡単な説明】
【００２７】
【図１】本発明の第１の実施の形態における開栓蓋の断面図であり、ラムネ瓶に装着した様子を示す。
【図２】同、開栓蓋の平面図である。
【図３】同、開栓蓋の底面図である。
【図４】図２におけるＸ−Ｘ矢視図である。
【図５】図２におけるＹ−Ｙ矢視図である。
【図６】図１における開栓蓋の一部拡大断面図である。
【図７】同、開栓蓋をラムネ瓶に装着する装着方法を示す図である。
【図８】同、開栓蓋の断面図であり、ラムネ瓶を開栓した時の状態を示す。
【図９】本発明の第２の実施の形態における開栓蓋の断面図であり、ラムネ瓶に装着した様子を示す。
【図１０】同、開栓蓋の斜視図である。
【図１１】同、開栓蓋の断面図であり、ラムネ瓶を開栓した時の状態を示す。
【図１２】従来の開栓蓋の断面図であり、ラムネ瓶に装着した様子を示す。
【図１３】従来の開栓蓋の装着方法を示す図である。
【発明を実施するための形態】
【００２８】
以下、本発明における実施の形態を、図面を参照して説明する。
【００２９】
（第１の実施の形態）
第１の実施の形態では、図１に示すように、１は容器の一例であるラムネ瓶であり、先端の口部２にはキャップ３が備えられている。キャップ３内には、ガラス製の玉からなる密閉用栓４が保持されている。キャップ３の孔５は密閉用栓４によって内側から閉鎖されている。尚、ラムネ瓶１はガラス製であってもよいし、或いは、樹脂製等であってもよい。
【００３０】
キャップ３上には、密閉用栓４を押し下げて開放する開栓蓋１０が設けられている。図１〜図６に示すように、開栓蓋１０は、樹脂等で製作されており、キャップ３に取付可能な筒状の蓋本体１１と、蓋本体１１内に設けられて密閉用栓４を押し下げる押下用部材１２とを有している。
【００３１】
蓋本体１１は、上部に円筒部１４（筒部の一例）を有し、下部にスカート部１５を有している。スカート部１５は、上方からキャップ３に外嵌可能であり、上端部に、円筒部１４の下端部から径方向外側へ張り出した肩部１６を全周にわたって有している。
【００３２】
押下用部材１２は、円形状の頂板部１９と、頂板部１９に設けられて下向きに突出する突起部２０とを有している。頂板部１９は、外周縁に、下方ほど径方向外側へ傾斜した傾斜面２１を全周にわたって有している。
【００３３】
押下用部材１２は、破断可能な複数の弱化部２２（保持手段の一例）を介して、蓋本体１１の円筒部１４内に保持されている。これら弱化部２２は周方向Ａにおいて所定角度Ｂおきに設けられ、蓋本体１１の円筒部１４の内周と押下用部材１２の頂板部１９の外周とは弱化部２２を介して繋がっている。尚、図２では、所定角度Ｂを９０°として４個の弱化部２２を設けているが、弱化部２２の個数および所定角度Ｂは上記の数値に限定されるものではない。
【００３４】
押下用部材１２の頂板部１９には、蓋本体１１の円筒部１４の内側と外側とに連通する複数の凹部２５（連通部の一例）が形成されている。これら凹部２５は、頂板部１９の外周縁から径方向内側へ円弧状に凹んだものであり、周方向Ａにおいて所定角度Ｃおきに設けられており、周方向Ａにおける弱化部２２間の中間に位置している。尚、図２では、所定角度Ｃを９０°として４個の凹部２５を設けているが、凹部２５の個数および所定角度Ｃは上記の数値に限定されるものではない。
【００３５】
スカート部１５の下端部には、下方からキャップ３の下端部に係合可能な複数の係合突部２８（係合部の一例）が設けられている。これら係合突部２８は、スカート部１５の下端内周面から径方向内側へ突出しており、周方向Ａにおいて所定角度Ｅおきに設けられている。尚、図３では、所定角度Ｅを９０°として４個の係合突部２８を設けているが、係合突部２８の個数および所定角度Ｅは上記の数値に限定されるものではない。また、弱化部２２と係合突部２８とは周方向Ａにおいて同じ位置にある。
【００３６】
キャップ３は、上下方向Ｄにおいて、肩部１６と係合突部２８との間に保持される。また、開栓蓋１０の外面には熱収縮性フィルム３０（熱収縮性膜の一例）が設けられている。蓋本体１１の外周面と密閉用栓４の上方とは熱収縮性フィルム３０で覆われている。尚、熱収縮性フィルム３０の上端には開口部３１が形成され、開口部３１を通して、押下用部材１２の頂板部１９の中央部が露出している。
【００３７】
次に、開栓蓋１０をラムネ瓶１のキャップ３に装着する装着方法を説明する。
【００３８】
図７に示すように、キャップ３を備えたラムネ瓶１を搬送経路４０に沿って搬送しながら、蓋供給工程と打栓工程と被覆工程と加熱工程とを順次行う。
【００３９】
先ず、蓋供給工程において、図７（ａ）に示すように、開栓蓋１０を、上方から搬送経路４０上のラムネ瓶１のキャップ３に垂直落下させて、キャップ３上に載せる。この際、開栓蓋１０のスカート部１５の下部がキャップ３の上部に外嵌された状態になる。
【００４０】
その後、打栓工程において、図７（ｂ）に示すように、開栓蓋１０を上方から打ち下ろして（打栓して）、スカート部１５を完全にキャップ３に外嵌する。これにより、蓋本体１１がキャップ３に取り付けられ、スカート部１５の係合突部２８がキャップ３の下端部に係合する。
【００４１】
次に、被覆工程において、図７（ｃ）に示すように、円筒状の熱収縮性フィルム３０を上方から開栓蓋１０に被せる。
【００４２】
その後、加熱工程において、図７（ｄ）に示すように、熱収縮性フィルム３０を加熱して熱収縮させる。これにより、図１に示すように、熱収縮性フィルム３０で覆われた開栓蓋１０がラムネ瓶１のキャップ３に装着される。
【００４３】
上記のような装着方法によると、図７（ｂ）に示すように、打栓工程において、スカート部１５の係合突部２８がキャップ３の下端部に係合するため、打栓工程後における被覆工程および加熱工程において、搬送されているラムネ瓶１のキャップ３から開栓蓋１０が脱落するのを防止することができる。
【００４４】
以下、上記開栓蓋１０の構成における作用を説明する。
【００４５】
ラムネ瓶１を開栓してラムネ瓶１内の飲料水を飲む際、先ず、熱収縮性フィルム３０を破って取り除く。この際、スカート部１５の係合突部２８がキャップ３の下端部に係合しているため、開栓蓋１０がラムネ瓶１のキャップ３から脱落するのを防止することができる。
【００４６】
次に、図８に示すように、押下用部材１２の頂板部１９を上方から指等で下向きに押圧する等により、弱化部２２が容易に破断し、押下用部材１２が蓋本体１１から分離して押し下げられる。これにより、密閉用栓４が押下用部材１２の突起部２０によって下方に突き落とされ、ラムネ瓶１の口部２が開放される。
【００４７】
その後、係合突部２８をキャップ３の下端部から離脱させて、開栓蓋１０をキャップ３から上方へ取り外すことにより、ラムネ瓶１内の飲料水を飲むことができる。また、万一、幼児等が蓋本体１１から分離された押下用部材１２を誤飲して、押下用部材１２が喉に詰まっても、空気は凹部２５を通って気道を流れることができるため、気道が閉塞されるのを防止することができ、窒息を防止することができる。
【００４８】
尚、上記実施の形態では、押下用部材１２の頂板部１９を上方から指等で下向きに押圧した際の力で弱化部２２を破断しているが、鋭利な物を用いて弱化部２２を破断してもよい。
（第２の実施の形態）
以下に、第２の実施の形態について説明する。尚、先述した第１の実施の形態と同じ部材については、同一の符号を付記して、詳細な説明を省略する。
【００４９】
図９，図１０に示すように、押下用部材１２は、上下方向Ｄに変形可能な薄肉の複数の支持脚６１（支持部および保持手段の一例）を介して、蓋本体１１の円筒部１４内に保持されている。円筒部１４には複数の切欠部６３が形成され、各支持脚６１は各切欠部６３内に配置されている。支持脚６１の下端部が切欠部６３の底部に一体的に接合され、支持脚６１の上端部が頂板部１９の外周縁に一体的に接合されており、これにより、押下用部材１２が支持脚６１を介して蓋本体１１に支持され、押下用部材１２の頂板部１９の外周と蓋本体１１の円筒部１４とは支持脚６１を介して繋がっている。
【００５０】
尚、支持脚６１と切欠部６３とはそれぞれ、周方向Ａにおいて所定角度Ｆおきに設けられている。例えば、図９，図１０では、所定角度Ｆを１８０°として、支持脚６１と切欠部６３とをそれぞれ２個ずつ設けているが、これらの個数および所定角度Ｆは上記の数値に限定されるものではない。
【００５１】
上記構成により、先述した第１の実施の形態と同様の作用および効果が得られる。
尚、ラムネ瓶１内の飲料水を飲む際、熱収縮性フィルム３０を破って取り除き、図１１に示すように、押下用部材１２の頂板部１９を上方から指等で下向きに押圧する等により、支持脚６１が変形し、押下用部材１２が押し下げられる。これにより、密閉用栓４が押下用部材１２の突起部２０によって下方に突き落とされ、ラムネ瓶１の口部２が開放される。
【００５２】
その後、開栓蓋１０をキャップ３から上方へ取り外すことにより、ラムネ瓶１内の飲料水を飲むことができる。
【００５３】
上記各実施の形態では、図７に示した開栓蓋１０の装着方法では、ラムネ瓶１を搬送経路４０に沿って搬送しながら、（ａ）蓋供給工程と（ｂ）打栓工程と（ｃ）被覆工程と（ｄ）加熱工程とを順次行っているが、これら（ａ）〜（ｄ）の各工程を行う際に、ラムネ瓶１の搬送を短時間だけ一旦停止させ、（ａ）〜（ｄ）の各工程を行った後、ラムネ瓶１の搬送を続行してもよい。
【符号の説明】
【００５４】
１      ラムネ瓶（容器）
２      口部
３      キャップ
４      密閉用栓
１０    開栓蓋
１１    蓋本体
１２    押下用部材
１４    円筒部（筒部）
１５    スカート部
１６    肩部
２２    弱化部（保持手段）
２５    凹部（連通部）
２８    係合突部（係合部）
３０    熱収縮性フィルム（熱収縮性膜）
６１    支持脚（支持部、保持手段）
Ａ      周方向
Ｄ      上下方向
【図１】
2019001501.tif 000003
【図２】
2019001501.tif 000004
【図３】
2019001501.tif 000005
【図４】
2019001501.tif 000006
【図５】
2019001501.tif 000007
【図６】
2019001501.tif 000008
【図７】
2019001501.tif 000009
【図８】
2019001501.tif 000010
【図９】
2019001501.tif 000011
【図１０】
2019001501.tif 000012
【図１１】
2019001501.tif 000013
【図１２】
2019001501.tif 000014
【図１３】
2019001501.tif 000015